(57)【要約】【課題】眼内挿入医療具をより適切に患者眼に挿入するための眼科情報処理装置および眼科情報処理プログラムを提供する。【解決手段】制御部は、患者眼情報を取得する（Ｓ１）。患者眼情報とは、手術が行われるよりも前に作成される情報であり、挿入予定医療具情報と手術前画像情報とを含む複数の情報が対応付けられた情報である。挿入予定医療具情報は、患者眼に挿入される予定の眼内挿入医療具を識別する情報である。手術前画像情報は、手術前における患者眼の前眼部画像情報である。また、制御部は、手術時における患者眼の前眼部画像情報である手術時画像情報を取得する（Ｓ２）。制御部は、手術時に準備された眼内挿入医療具を識別する準備医療具情報を取得する（Ｓ５）。制御部は、手術前画像情報と手術時画像情報を照合すると共に、挿入予定医療具情報と準備医療具情報を照合する（Ｓ４，Ｓ７）。【選択図】図３
2018000487.tif 000002
【特許請求の範囲】
【請求項１】
眼内挿入医療具が挿入される患者眼に関する情報を処理する眼科情報処理装置であって、
手術が行われるよりも前に作成される情報であり、前記患者眼に挿入される予定の眼内挿入医療具を識別する挿入予定医療具情報と、手術前における前記患者眼の前眼部画像情報である手術前画像情報とを含む複数の情報が対応付けられた情報である患者眼情報を取得する患者眼情報取得手段と、
手術時における患者眼の前眼部画像情報である手術時画像情報を取得する手術時画像情報取得手段と、
手術時に準備された眼内挿入医療具を識別する準備医療具情報を取得する準備医療具情報取得手段と、
前記手術前画像情報と前記手術時画像情報を照合すると共に、前記挿入予定医療具情報と前記準備医療具情報を照合することで、患者眼に対する手術の準備の適否を判定する判定手段と、
を備えたことを特徴とする眼科情報処理装置。
【請求項２】
請求項１に記載の眼科情報処理装置であって、
前記判定手段は、
画像のうち虹彩よりも外側の部分を少なくとも用いて、前記手術前画像情報と前記手術時画像情報を照合することを特徴とする眼科情報処理装置。
【請求項３】
請求項１または２に記載の眼科情報処理装置であって、
前記判定手段によって手術の準備が不適切であると判定された場合に、準備が不適切である旨を報知する報知手段をさらに備えたことを特徴とする眼科情報処理装置。
【請求項４】
請求項１から３のいずれかに記載の眼科情報処理装置であって、
前記準備医療具情報取得手段は、
眼内挿入医療具に付随して設けられた識別子をリーダーで読み取ることで得られる識別情報を、前記準備医療具情報として取得することを特徴とする眼科情報処理装置。
【請求項５】
請求項１から４のいずれかに記載の眼科情報処理装置であって、
前記患者眼情報では、同一の患者の左眼および右眼の両方に眼内挿入医療具が挿入される場合に、前記左眼における前記挿入予定医療具情報と前記手術前画像情報、および、前記右眼における前記挿入予定医療具情報と前記手術前画像情報が別々に対応付けられていることを特徴とする眼科情報処理装置。
【請求項６】
眼内挿入医療具が挿入される患者眼に関する情報を処理する眼科情報処理装置において実行される眼科情報処理プログラムであって、
前記眼科情報処理装置の制御部によって実行されることで、
手術が行われるよりも前に作成される情報であり、前記患者眼に挿入される予定の眼内挿入医療具を識別する挿入予定医療具情報と、手術前における前記患者眼の前眼部画像情報である手術前画像情報とを含む複数の情報が対応付けられた情報である患者眼情報を取得する患者眼情報取得ステップと、
手術時における患者眼の前眼部画像情報である手術時画像情報を取得する手術時画像情報取得ステップと、
手術時に準備された眼内挿入医療具を識別する準備医療具情報を取得する準備医療具情報取得ステップと、
前記手術前画像情報と前記手術時画像情報を照合すると共に、前記挿入予定医療具情報と前記準備医療具情報を照合することで、患者眼に対する手術の準備の適否を判定する判定ステップと、
を前記眼科情報処理装置に実行させることを特徴とする眼科情報処理プログラム。
【発明の詳細な説明】
【技術分野】
【０００１】
本開示は、眼内挿入医療具が挿入される患者眼に関する情報を処理するための眼科情報処理装置および眼科情報処理プログラムに関する。
【背景技術】
【０００２】
従来、適切な眼内眼内挿入医療具（例えば眼内レンズ等）を患者眼に挿入するための種々の技術が提案されている。例えば、特許文献１が開示する眼科測定プログラムによると、より適切に眼内レンズを患者眼に挿入するために、術後球面度数、術後乱視度数、術後乱視軸角度、および角膜波面収差の高次収差に基づいてシミュレーション画像が作成される。
【先行技術文献】
【特許文献】
【０００３】
【特許文献１】特開２０１３−２３６９０２号公報
【発明の概要】
【発明が解決しようとする課題】
【０００４】
眼内挿入医療具を挿入する手術では、例えば、患者眼が取り違えられるミス、または、不適切な眼内挿入医療具が誤って患者眼に挿入されるミス等が生じる可能性もあり得る。従来の技術では、例えば人為的なミス等によって手術内容が不適切となる可能性を低下させることは困難であった。
【０００５】
本開示の典型的な目的は、眼内挿入医療具をより適切に患者眼に挿入するための眼科情報処理装置および眼科情報処理プログラムを提供することである。
【課題を解決するための手段】
【０００６】
本開示における典型的な実施形態が提供する眼科情報処理装置は、眼内挿入医療具が挿入される患者眼に関する情報を処理する眼科情報処理装置であって、手術が行われるよりも前に作成される情報であり、前記患者眼に挿入される予定の眼内挿入医療具を識別する挿入予定医療具情報と、手術前における前記患者眼の前眼部画像情報である手術前画像情報とを含む複数の情報が対応付けられた情報である患者眼情報を取得する患者眼情報取得手段と、手術時における患者眼の前眼部画像情報である手術時画像情報を取得する手術時画像情報取得手段と、手術時に準備された眼内挿入医療具を識別する準備医療具情報を取得する準備医療具情報取得手段と、前記手術前画像情報と前記手術時画像情報を照合すると共に、前記挿入予定医療具情報と前記準備医療具情報を照合することで、患者眼に対する手術の準備の適否を判定する判定手段と、を備える。
【０００７】
本開示における典型的な実施形態が提供する眼科情報処理プログラムは、眼内挿入医療具が挿入される患者眼に関する情報を処理する眼科情報処理装置において実行される眼科情報処理プログラムであって、前記眼科情報処理装置の制御部によって実行されることで、手術が行われるよりも前に作成される情報であり、前記患者眼に挿入される予定の眼内挿入医療具を識別する挿入予定医療具情報と、手術前における前記患者眼の前眼部画像情報である手術前画像情報とを含む複数の情報が対応付けられた情報である患者眼情報を取得する患者眼情報取得ステップと、手術時における患者眼の前眼部画像情報である手術時画像情報を取得する手術時画像情報取得ステップと、手術時に準備された眼内挿入医療具を識別する準備医療具情報を取得する準備医療具情報取得ステップと、前記手術前画像情報と前記手術時画像情報を照合すると共に、前記挿入予定医療具情報と前記準備医療具情報を照合することで、患者眼に対する手術の準備の適否を判定する判定ステップと、を前記眼科情報処理装置に実行させる。
【０００８】
本開示に係る眼科情報処理装置および眼科情報処理プログラムによると、眼内挿入医療具がより適切に患者眼に挿入される。
【図面の簡単な説明】
【０００９】
【図１】本実施形態における眼科手術システム１００の電気的構成を示すブロック図である。
【図２】患者眼情報のデータ構成の一例を説明するための説明図である。
【図３】準備適否判定処理のフローチャートである。
【図４】手術前画像と手術時画像の照合方法の一例を説明するための説明図である。
【発明を実施するための形態】
【００１０】
＜概要＞
本開示で例示する眼科情報処理装置は、各種処理を制御する制御部を備える。制御部は、患者眼情報を取得する。患者眼情報とは、手術が行われるよりも前に作成される情報であり、挿入予定医療具情報と手術前画像情報とを含む複数の情報が対応付けられた情報である。挿入予定医療具情報は、患者眼に挿入される予定の眼内挿入医療具（例えば眼内レンズ）を識別する情報である。手術前画像情報は、手術前における患者眼の前眼部画像情報である。また、制御部は、手術時における患者眼の前眼部画像情報である手術時画像情報を取得する。制御部は、手術時に準備された眼内挿入医療具を識別する準備医療具情報を取得する。制御部は、手術前画像情報と手術時画像情報を照合すると共に、挿入予定医療具情報と準備医療具情報を照合することで、手術の準備の適否を判定する。従って、眼科情報処理装置は、患者眼が取り違えられる可能性を低下させることができることに加え、予定とは異なる眼内挿入医療具が誤って患者眼に挿入される可能性を大幅に低下させることができる。
【００１１】
なお、眼内挿入医療具の一例として、所定の屈折力を有する眼内レンズ（ＩＯＬ）が挙げられる。また、眼内挿入医療具は、眼内レンズ以外の医療具（例えば、特定の光学特性を有し、角膜内に挿入される医療具、または、角膜フラップの後方に挿入される医療具等）であってもよい。
【００１２】
制御部は、画像のうち虹彩よりも外側の部分（例えば、強膜または結膜の血管等）を少なくとも用いて手術前画像情報と手術時画像情報を照合してもよい。眼内挿入医療具を患者眼に挿入する手術は、散瞳（瞳孔を広げること）された状態で行われる場合が多い。散瞳されると、虹彩は前眼部画像に写り込み難い。しかし、虹彩よりも外側の部分を少なくとも用いて画像が照合されることで、散瞳された眼であっても適切に照合される。
【００１３】
ただし、手術前画像情報と手術時画像情報の照合方法を変更することも可能である。例えば、虹彩の外周部近傍における虹彩パターンを少なくとも用いて画像情報の照合を行ってもよい。また、虹彩よりも外側の部分と、虹彩の外周部近傍における虹彩パターンを共に用いて画像情報の照合を行ってもよい。この場合、照合の精度が向上する。
【００１４】
制御部は、手術の準備が不適切であると判定した場合に、準備が不適切である旨を報知してもよい。この場合、術者は、眼内挿入医療具の変更等の適切な対応を取ることができる。従って、患者眼が取り違えられるミス、または、不適切な眼内挿入医療具が誤って患者眼に挿入されるミス等が発生し難くなる。また、制御部は、手術の準備が不適切であると判定した場合に、以後の手術を禁止してもよい。
【００１５】
制御部は、眼内挿入医療具に付随して設けられた識別子（例えば、ＩＣタグ、ＱＲコード（登録商標）、バーコード等）をリーダーで読み取ることで得られる識別情報を、準備医療具情報として取得してもよい。この場合、術者または補助者等が手動で準備医療具情報を入力する場合等に比べて、不適切な眼内挿入医療具が患者眼に挿入される可能性がさらに低下する。ただし、制御部は、補助者等に操作部を操作させることで、準備医療具情報を取得してもよい。この場合でも、眼内挿入医療具を識別しない場合に比べて、ミスが発生する可能性は低下する。なお、「眼内挿入医療具に付随して設けられた識別子」は、例えば、眼内挿入医療具のパッケージに付された識別子であってもよい。また、眼内挿入医療具を眼内に挿入する挿入器具に、眼内挿入医療具が予めセットされている場合には、挿入器具に識別子が付されていてもよい。眼内挿入医療具に識別子が直接付されていてもよい。
【００１６】
前眼部情報では、同一の患者の左眼および右眼の両方に眼内挿入医療具が挿入される場合に、挿入予定医療具情報と手術前画像情報が、左眼および右眼の各々について別々に対応付けられていてもよい。この場合、同一の患者の左眼および右眼の両方に眼内挿入医療具が挿入される場合でも、左右眼の取り違えが発生する可能性が低下する。
【００１７】
＜実施形態＞
以下、本開示における典型的な実施形態の１つについて、図面を参照して説明する。本実施形態では、患者眼に関する情報を処理する眼科情報処理装置を、白内障手術等に使用される手術装置１が兼ねる場合を例示する。つまり、本実施形態では、手術装置１の制御部１０が、外部機器等から取得した眼科情報を処理して手術の準備の適否を判定する。ただし、手術装置１以外のデバイスが眼科情報処理装置として機能してもよい（詳細は後述する）。
【００１８】
図１を参照して、本実施形態で例示する眼科手術システム１００について説明する。本実施形態の眼科手術システム１００は、手術装置１を備える。手術装置１は、少なくとも患者眼の白内障手術を実行する際に術者によって使用される。一例として、本実施形態の手術装置１は、患者眼の水晶体核を破砕乳化する機能、患者眼へ灌流液を供給し、且つ患者眼から物質を吸引する機能、および、患者眼の眼内に眼内レンズ（以下、「ＩＯＬ」という場合もある）を自動挿入する機能を有する。ただし、手術装置１の機能は適宜選択できる。例えば、手術装置１は、眼内レンズを自動挿入する機能を有していなくてもよい。
【００１９】
手術装置１は、手術装置１の制御を司る制御部１０を備える。制御部１０は、ＣＰＵ１１、ＲＡＭ１２、ＲＯＭ１３、および不揮発性メモリ１４を備える。ＣＰＵ１１は各種制御を行うコントローラである。ＲＡＭ１２は各種情報を一時的に記憶する。ＲＯＭ１３には、ＣＰＵ１１が実行するプログラム、および各種初期値等が記憶されている。不揮発性メモリ１４は、電源の供給が遮断されても記憶内容を保持できる非一過性の記憶媒体である。後述する準備適否判定処理（図３参照）を実行するための眼科情報処理プログラムは、不揮発性メモリ１４に記憶されていてもよい。
【００２０】
制御部１０には、表示部１６、操作部１７、ハンドピース駆動部２１、自動挿入駆動部２３、ポール駆動モータ２５、フットスイッチ２６、識別子リーダー２７、メモリインターフェース２８、および外部通信インターフェース２９が、バスを介して接続されている。
【００２１】
表示部１６は、各種画像を表示する。操作部１７は、ユーザ（例えば、術者および補助者等）によって操作されることで、各種指示の入力を受け付ける。ハンドピース駆動部２１は、接続されたハンドピース２２を駆動させる。ハンドピース２２には、例えば、水晶体核を超音波振動によって破砕乳化する超音波ハンドピース、および、灌流液の供給と吸引を行う灌流吸引用ハンドピース等の少なくともいずれかを使用できる。ハンドピース駆動部２１は、例えば、ペリスタルティックポンプ（蠕動型ポンプ）、ベンチュリーポンプ、およびバルブ等の少なくともいずれかを備えていてもよい。自動挿入駆動部２３は、接続されたＩＯＬ自動挿入機２４を駆動させる。ＩＯＬ自動挿入機２４の動力には種々の動力（例えば、モータの動力、空気圧、油圧、磁力等）を用いることができる。ポール駆動モータ２５は、灌流液の容器を支持するポールを上下動させることで、患者眼に供給される灌流液の圧力を変化させる。フットスイッチ２６は、ユーザが各種動作指示等を入力するために、ユーザの足によって操作される。
【００２２】
識別子リーダー２７は、眼内レンズに付随して設けられた識別子（例えば、ＩＣタグ、ＱＲコード（登録商標）、バーコード等）を読み取る。識別子は、例えば、眼内レンズのパッケージに付されていてもよい。また、眼内レンズ挿入器具（インジェクター）に眼内レンズが予めセットされている場合には、識別子は眼内レンズ挿入器具に付されていてもよい。本実施形態では、識別子リーダー２７によって読み取られた識別情報（準備レンズ情報）は、眼科情報の１つとして制御部１０によって取得される。メモリＩ／Ｆ２８は、装着されたリムーバブルメモリ（例えば、ＵＳＢメモリ、メモリカード等）３１から各種情報を読み取る。
【００２３】
外部通信Ｉ／Ｆ２９は、外部装置との通信（有線通信でも無線通信でもよい）を司る。本実施形態の手術装置１は、例えば、手術顕微鏡４１、眼軸長測定装置４２、角膜形状測定装置４３、およびパーソナルコンピュータ（以下、「ＰＣ」という）４４等と通信を行うことができる。手術顕微鏡４１は、手術中に患者眼を正面から撮影し、撮影した画像（前眼部画像）を術者に示す。眼軸長測定装置４２は、患者眼の眼軸長を含む患者眼の状態を測定する。角膜形状測定装置４３は、患者眼の角膜形状を含む患者眼の状態を測定する。ＰＣ４４は各種情報処理を行うことができる。なお、眼軸長測定装置４２および角膜形状測定装置４３も、患者眼を正面から撮影して前眼部画像を取得することができる。
【００２４】
図２を参照して、本実施形態の眼科手術システム１００で用いられる患者眼情報について説明する。患者眼情報とは、挿入予定レンズ情報および手術前画像情報を含む複数の情報が、１または複数の患者眼毎に対応付けられた情報である。患者眼情報は、手術が行われるよりも前に作成される。一例として、本実施形態における患者眼情報には、「患者名」、「左右眼情報」、「挿入予定レンズ情報」、「乱視軸方向」、「角膜ポート位置」、および「手術前画像情報」が含まれる。
【００２５】
「患者名」は、患者を特定する患者ＩＤ等によって代用されてもよい。また、手術前画像に対して画像処理を行うことで、患者眼を識別する患者眼識別コード情報を手術前画像から生成する場合には、患者名および患者ＩＤ等は省略されてもよい。「左右眼情報」は、手術対象の眼が患者の左眼および右眼のいずれであるかを示す。「挿入予定レンズ情報」は、患者眼に挿入される予定の眼内レンズを識別する情報である。一例として、本実施形態では、挿入予定レンズのメーカー名、製品名、および度数等が挿入予定レンズ情報として用いられる。しかし、挿入予定レンズを識別するためのレンズＩＤ等が、挿入予定レンズ情報として用いられてもよい。
【００２６】
「乱視軸方向」とは、挿入予定レンズが乱視矯正用の眼内レンズである場合に、眼内レンズが眼内に設置される際の適切な乱視軸の方向を示す情報である。「角膜ポート位置」とは、眼内レンズが眼内に挿入される際に角膜に形成される切開の適切な位置を示す情報である。一例として、本実施形態では、「乱視軸方向」および「角膜ポート位置」は角度によって示されている。「手術前画像情報」とは、手術前における患者眼の前眼部画像の情報である。本実施形態における前眼部画像には、患者眼の瞳孔および虹彩に加え、これらの外側に位置する部分（例えば、強膜および結膜等）も含まれる。なお、「手術前」は、例えば、患者眼に挿入する眼内レンズを決定するために手術よりも前に行われる検査時であってもよい。この場合、手術前画像は、眼科検査装置（例えば、眼軸長測定装置４２、角膜形状測定装置４３、および、眼の屈折力を測定する眼屈折力測定装置等の少なくともいずれか）によって撮影されてもよい。
【００２７】
図２において例示するように、本実施形態では、同一の患者（図２では患者「Ａ」）の左眼および右眼の両方に眼内レンズが挿入される場合には、左眼における挿入予定レンズ情報と手術前画像情報、および、右眼における挿入予定レンズ情報と手術前画像情報が、別々に対応付けられている。従って、同一の患者の左眼および右眼の両方に眼内レンズが挿入される場合でも、左右眼の取り違えが発生する可能性が低下する。
【００２８】
本実施形態では、眼軸長測定装置４２および角膜形状測定装置４３の少なくともいずれかが、患者眼に適した眼内レンズの度数等を眼内レンズ度数計算式によって算出する機能を有する。また、眼軸長測定装置４２および角膜形状測定装置４３の少なくともいずれかが、手術前の患者眼の前眼部を撮影する機能を有する。本実施形態では、患者眼情報は、眼軸長測定装置４２および角膜形状測定装置４３の少なくともいずれかによって作成された後、メモリＩ／Ｆ２８または外部通信Ｉ／Ｆ２９を介して手術装置１の制御部１０によって取得される。しかし、患者眼情報を作成するデバイス、および患者眼情報の作成方法は、適宜変更できる。例えば、手術装置１の制御部１０が、挿入予定レンズ情報、手術前画像情報、および乱視軸方向等を外部装置から取得し、取得した情報を用いて患者眼情報を作成してもよい。また、ＰＣ１０が、眼軸長測定装置４２および角膜形状測定装置４３による患者眼の測定結果と前眼部画像情報を取得し、取得した測定結果等に基づいて挿入予定眼内レンズを決定し、患者眼情報を作成してもよい。
【００２９】
図３および図４を参照して、本実施形態の眼科情報処理装置（一例として、手術装置１）が実行する準備適否判定処理について説明する。準備適否判定処理では、患者眼に対する手術の準備が適切か否かが、患者眼情報に基づいて判定される。準備適否判定処理は、開始指示が行われることを契機として、制御部１０のＣＰＵ１１によって実行される。ＣＰＵ１１は、不揮発性メモリ１４に記憶されている眼科情報処理プログラムに従って、図３に例示する準備適否判定処理を実行する。
【００３０】
まず、ＣＰＵ１１は患者眼情報（図２参照）を取得する（Ｓ１）。前述したように、患者眼情報はいずれのデバイスで作成されてもよい。一例として、本実施形態のＣＰＵ１１は、眼軸長測定装置４２または角膜形状測定装置４３によって作成された患者眼情報を、通信またはリムーバブルメモリ３１によって取得する。
【００３１】
次いで、ＣＰＵ１１は、手術時画像情報を取得する（Ｓ２）。手術時画像情報とは、手術時における患者眼の前眼部画像の情報である。つまり、手術時画像情報は、手術をしようとしている患者眼を正面から撮影した画像の情報である。手術時画像情報は、例えば、手術室において手術台に寝かされた状態の患者の患者眼を撮影した画像の情報であってもよい。手術時画像は、少なくとも、患者眼に挿入する眼内レンズが検査結果に基づいて決定された時よりも後に撮影される。一例として、本実施形態の手術装置１の制御部１０は、手術顕微鏡４１によって撮影された手術時（正確には手術の直前）の前眼部画像の情報を、外部通信Ｉ／Ｆ２９またはメモリＩ／Ｆ２８を介して取得する。しかし、制御部１０が手術時画像情報を取得する方法は適宜変更できる。例えば、制御部１０は、手術装置１自身が備えるカメラで撮影された前眼部画像の情報を取得してもよいし、手術顕微鏡４１以外のデバイスで撮影された前眼部画像の情報を取得してもよい。
【００３２】
次いで、ＣＰＵ１１は、Ｓ２で取得した手術時画像と、患者眼情報に含まれる手術前画像が合致しているか否かを照合する（Ｓ４）。一例として、本実施形態では、術者または補助者等が操作部１７を操作することで、手術をしようとしている患者の患者名および左右眼の情報が予め特定されている。本実施形態のＣＰＵ１１は、特定された患者名および左右眼の情報に対応付けられている手術前画像と、Ｓ２で取得した手術時画像とを照合することで、手術をしようとしている患者眼が正しいか否かを判定する。しかし、手術をしようとしている患者眼を特定する方法は、適宜変更できる。例えば、ＣＰＵ１１は、患者眼情報に含まれる１または複数の手術前画像の各々と手術時画像とを照合し、手術時画像と合致した手術前画像に対応付けられている患者眼を、手術をしようとしている患者眼として特定してもよい。この場合、術者または補助者等が自ら患者眼を特定する必要が無くなる。よって、人為的なミス等が発生する可能性はさらに低下する。
【００３３】
手術時画像と手術前画像を照合する方法は適宜選択できる。一例として、本実施形態のＣＰＵ１１は、手術時画像および手術前画像の各々に対して周知の画像処理を行うことで、それぞれの画像に含まれる特徴部分を抽出する。次いで、ＣＰＵ１１は、抽出したそれぞれの特徴部分を照合することで、手術時画像と手術前画像が同一の患者眼の画像であるか否かを判定する。
【００３４】
図４を参照して、本実施形態における画像の照合方法について詳細に説明する。図４に示すように、手術前画像は、薬剤による散瞳（瞳孔５１を広げること）が行われていない状態で撮影されることが多い。これに対し、手術時画像は、眼内レンズを挿入しやすくするために、散瞳された状態で撮影されることが多い。散瞳されると、画像に含まれる患者眼の虹彩５２の面積が減少する。従って、眼内レンズを挿入する手術では、エキシマレーザー等を用いる角膜手術等の場合とは異なり、虹彩５２のパターンのみを用いて２つの画像を照合すると、照合の精度が低下する可能性がある。
【００３５】
よって、本実施形態では、ＣＰＵ１１は、画像のうち虹彩５２よりも外側の部分（例えば、強膜または結膜）の特徴部分を少なくとも抽出して照合することで、手術前画像と手術時画像を照合する。その結果、散瞳された患者眼の画像であっても適切に照合が行われる。照合に用いることが可能な特徴部分は、例えば、血管、血だまり、虹彩５２の外周部分の形状等の少なくともいずれかであってもよい。また、虹彩５２の外周部近傍における虹彩パターンを照合に用いることも可能である。
【００３６】
手術時画像と手術前画像が合致していない場合（Ｓ４：ＮＯ）、ＣＰＵ１１は、手術の準備が不適切である旨を、術者および補助者等の少なくともいずれかに報知する（Ｓ１１）。処理はＳ１へ戻る。この場合、術者および補助者等は、手術の準備が適切であるか否かを予め確認し、準備が不適切である場合には準備をやり直すことができる。なお、Ｓ１１における報知は、例えば、画像、音声、ランプの点灯等の少なくともいずれかの方法で適宜行われればよい。
【００３７】
手術時画像と手術前画像が合致している場合（Ｓ４：ＹＥＳ）、ＣＰＵ１１は、準備レンズ情報を取得する（Ｓ５）。準備レンズ情報とは、手術時（詳細には手術の直前）に準備されている眼内レンズを識別する情報である。前述したように、本実施形態では、眼内レンズに付随して識別子が設けられている。ＣＰＵ１１は、識別子リーダー２７（図１参照）によって読み取られた眼内レンズの識別情報を、準備レンズ情報として取得する。従って、術者または補助者等が手動で準備レンズ情報を入力する場合等に比べて、人為的なミスが発生する可能性が低下する。なお、ＣＰＵ１１は、他のデバイス（例えばＰＣ４４等）によって読み取られた準備レンズ情報を、通信またはリムーバブルメモリ３１等を介して取得してもよい。また、術者または補助者等が操作部を操作することで、準備レンズ情報を入力してもよい。
【００３８】
次いで、ＣＰＵ１１は、準備レンズ情報と挿入予定レンズ情報が合致しているか否かを照合する（Ｓ７）。つまり、ＣＰＵ１１は、特定された患者眼に対応付けられている挿入予定レンズと、手術時に準備されたレンズが合致しているか否かを判定する。合致していない場合（Ｓ７：ＮＯ）、ＣＰＵ１１は、手術の準備が不適切である旨を報知し（Ｓ１１）、処理はＳ１へ戻る。
【００３９】
準備レンズ情報と挿入予定レンズ情報が合致している場合（Ｓ７：ＹＥＳ）、ＣＰＵ１１は、特定された患者眼に対応付けられている「乱視軸方向」および「角膜ポート位置」の少なくともいずれかを、術者にガイドする（Ｓ８）。例えば、ＣＰＵ１１は、「乱視軸方向」および「角膜ポート位置」の少なくともいずれかを表示部１６に表示させてもよい。次いで、ＣＰＵ１１は、手術を実行できる状態として（Ｓ９）、準備適否判定処理を終了する。
【００４０】
上記実施形態で開示された技術は一例に過ぎない。従って、上記実施形態で例示された技術を変更することも可能である。例えば、上記実施形態では、白内障手術等に使用される手術装置１が、準備適否判定処理（図３参照）を実行する眼科情報処理装置として機能する。しかし、手術装置１以外のデバイスが眼科情報処理装置として機能してもよい。例えば、手術顕微鏡４１、眼軸長測定装置４２、角膜形状測定装置４３、またはＰＣ４４が、眼科情報処理装置として機能してもよい。また、超短パルスレーザを水晶体内に集光させることで水晶体核を破砕する眼科用レーザ手術装置等が、眼科情報処理装置として機能してもよい。
【００４１】
また、準備適否判定処理の具体的な処理方法も適宜変更できる。例えば、レンズが合致しているか否かの判断（Ｓ７）が、画像が一致しているか否かの判断（Ｓ４）よりも前に行われてもよいし、これらの判断が同時に行われてもよい。
【符号の説明】
【００４２】
１    手術装置
１０    制御部
１１    ＣＰＵ
１４    不揮発性メモリ
２７    識別子リーダー
２８    メモリインターフェース
２９    外部通信インターフェース
４１    手術顕微鏡
４２    眼軸長測定装置
４３    角膜形状測定装置
１００    眼科手術システム
【図１】
2018000487.tif 000003
【図２】
2018000487.tif 000004
【図３】
2018000487.tif 000005
【図４】
2018000487.tif 000006